(57)【要約】【課題】  優れた美的外観を有するとともに、筐体を開く動作を容易に行なうことができる携帯電話機を提供する。【解決手段】  携帯電話機１は、所定の方向（矢印５１に示す方向）に幅Ｂ１で形成された筐体２と、ヒンジ４を介して筐体２に開閉自在に連結され、所定の方向に幅Ｂ１よりも大きい幅Ｂ２で形成された筐体３とを備える。筐体２は、筐体２および３を閉じた状態で外側に露出し、幅Ｂ１を隔てて位置する一対の側面２ｃを含む。携帯電話機１は、さらに、側面２ｃに設けられたサイドパーツ１０を備える。【選択図】        図３
2005072738.tif 000002
【特許請求の範囲】
【請求項１】
所定の方向に第１の幅で形成された第１の筐体と、
ヒンジ部を介して前記第１の筐体に開閉自在に連結され、前記所定の方向に前記第１の幅よりも大きい第２の幅で形成された第２の筐体とを備え、
前記第１の筐体は、前記第１および第２の筐体を閉じた状態で外側に露出し、前記第１の幅を隔てて位置する一対の側面を含み、さらに、
前記側面に設けられた帯状部を備える、携帯電話機。
【請求項２】
前記帯状部は、前記側面から盛り上がって設けられている、請求項１に記載の携帯電話機。
【請求項３】
前記側面は、ヒンジ部に近接する一方端と、ヒンジ部から最遠に位置する他方端とを有し、前記帯状部は、前記一方端側から前記他方端側にまで延びている、請求項１または２に記載の携帯電話機。
【請求項４】
前記一方端は、ヒンジ部を覆うように設けられている、請求項３に記載の携帯電話機。
【請求項５】
前記第１の筐体と前記帯状部とは、色分けされている、請求項１から４のいずれか１項に記載の携帯電話機。
【請求項６】
前記帯状部は、前記第１の筐体に対してより光沢がある、請求項１から５のいずれか１項に記載の携帯電話機。
【請求項７】
前記帯状部は、ゴム部材によって形成されている、請求項１から６のいずれか１項に記載の携帯電話機。
【発明の詳細な説明】
【技術分野】
【０００１】
この発明は、一般的には、携帯電話機に関し、より特定的には、折り畳み可能に連結された２つの筐体からなるクラムシェルタイプの携帯電話機に関する。
【背景技術】
【０００２】
従来、折り畳み可能に連結された２つの筐体からなるクラムシェルタイプの携帯電話機が広く普及しており、たとえば、特開２００１−４５１２３号公報には、折り畳み可能な携帯通信端末装置が開示されている（特許文献１）。
【０００３】
このタイプの携帯電話機では、一般的に、一方の筐体に表示部（メイン表示部およびサブ表示部を含む）およびレシーバなどが設けられ、その内部には、各種のＩＣ（integrated circuit）を実装した基板などが収容される。また、他方の筐体には、操作ボタンおよびマイクなどが設けられ、その内部には、各種のＩＣや無線部を実装した基板のほか、電池などが収容される。
【特許文献１】特開２００１−４５１２３号公報
【発明の開示】
【発明が解決しようとする課題】
【０００４】
このような携帯電話機は、その機能や性能のみならず、どのような外観を有するかがユーザーの購買意欲を左右する大きな要因となっている。たとえば、スリムな形状を有しているという印象を携帯電話機が与える場合、その携帯電話機は、ユーザーに対する大きなプラス要因を備えることとなる。
【０００５】
一方、携帯電話機を構成する一方の筐体と他方の筐体とを比較した場合に、無線部や電池などを収容する他方の筐体の方が大きくなり易い。このため、大きさの異なる筐体を組み合わせて携帯電話機を構成する場合がある。しかしこの場合、大きさの大きい方の他方の筐体によって、携帯電話機が全体としてずんぐりとした形状を有しているという印象をユーザーに与えるおそれが生じる。
【０００６】
また、大きさの異なる筐体を組み合わせた携帯電話機において、携帯電話機を閉じた状態から開いた状態に変化させる場合、大きさの小さい方の一方の筐体が掴みづらく、携帯電話機を開けづらいという問題が生じる。
【０００７】
そこでこの発明の目的は、上記の課題を解決することであり、優れた美的外観を有するとともに、筐体を開く動作を容易に行なうことができる携帯電話機を提供することである。
【課題を解決するための手段】
【０００８】
この発明に従った携帯電話機は、所定の方向に第１の幅で形成された第１の筐体と、ヒンジ部を介して第１の筐体に開閉自在に連結され、所定の方向に第１の幅よりも大きい第２の幅で形成された第２の筐体とを備える。第１の筐体は、第１および第２の筐体を閉じた状態で外側に露出し、第１の幅を隔てて位置する一対の側面を含む。携帯電話機は、さらに、側面に設けられた帯状部を備える。
【０００９】
このように構成された携帯電話機によれば、第１の筐体の側面に帯状部が設けられているため、携帯電話機を見るユーザーの注意をその帯状部に引き付けることができる。これにより、相対的に大きい第２の幅で形成された第２の筐体よりも相対的に小さい第１の幅で形成された第１の筐体をもって、携帯電話機の全体的な大きさと認識させることができる。また、帯状部は、帯状に延びる形状を有する。このため、携帯電話機全体が、その帯状部が有する形状のようにスリムな形状に形成されているという印象をユーザーに与えることができる。以上の理由から、携帯電話機の美的外観の向上を図ることができる。また、第１および第２の筐体を開く際、ユーザーの指が帯状部に引っ掛かるため、携帯電話機を開く動作を容易に行なうことができる。
【００１０】
また好ましくは、帯状部は、側面から盛り上がって設けられている。このように構成された携帯電話機によれば、第１および第２の筐体を開く際、ユーザーの指が帯状部に引っ掛かり易くなる。これにより、携帯電話機を開く動作をさらに容易に行なうことができる。
【００１１】
また好ましくは、側面は、ヒンジ部に近接する一方端と、ヒンジ部から最遠に位置する他方端とを有する。帯状部は、一方端側から他方端側にまで延びている。このように構成された携帯電話機によれば、帯状部は、第１の筐体の側面において、より長い距離に渡って延びているため、携帯電話機の美的外観を向上させるという上述の効果をより大きく得ることができる。また、第１および第２の筐体を開く際、第１の筐体の側面のどの部分を掴んでもユーザーの指が帯状部に引っ掛かるため、携帯電話機を開く動作を容易にするという上述の効果を常に得ることができる。
【００１２】
また好ましくは、一方端は、ヒンジ部を覆うように設けられている。このように構成された携帯電話機によれば、ヒンジ部は、第１の筐体の側面によって覆われているため、ヒンジ部を覆うためのカバーを別途設ける必要がない。これにより、携帯電話機の部品点数を減らし、製造コストの削減を図ることができる。
【００１３】
また好ましくは、第１の筐体と帯状部とは、色分けされている。このように構成された携帯電話機によれば、携帯電話機を見るユーザーの注意を帯状部により強く引き付けることができる。これにより、ユーザーに対して、第１の筐体をもって携帯電話機の全体的な大きさを認識させやすくなる。また、ユーザーに対して、携帯電話機全体がスリムな形状に形成されているという印象をより強く与えることができる。
【００１４】
また好ましくは、帯状部は、第１の筐体に対してより光沢がある。このように構成された携帯電話機によれば、携帯電話機を見るユーザーの注意を帯状部により強く引き付けることができる。これにより、ユーザーに対して、第１の筐体をもって携帯電話機の全体的な大きさを認識させやすくなる。また、ユーザーに対して、携帯電話機全体がスリムな形状に形成されているという印象をより強く与えることができる。
【００１５】
また好ましくは、帯状部は、ゴム部材によって形成されている。このように構成された携帯電話機によれば、第１および第２の筐体を開く際、ユーザーの指が帯状部に引っ掛かり易くなる。これにより、携帯電話機を開く動作をさらに容易に行なうことができる。
【発明の効果】
【００１６】
以上説明したように、この発明に従えば、優れた美的外観を有するとともに、筐体を開く動作を容易に行なうことができる携帯電話機を提供することができる。
【発明を実施するための最良の形態】
【００１７】
この発明の実施の形態について、図面を参照して説明する。
【００１８】
図１は、この発明の実施の形態における携帯電話機の開いた状態を示す斜視図である。図２は、図１中の携帯電話機を背面側から見た斜視図である。図３は、図１中の携帯電話機の閉じた状態を示す斜視図である。
【００１９】
図１から図３を参照して、携帯電話機１は、カメラ機能を有するクラムシェルタイプの携帯電話機である。携帯電話機１は、筐体２と、筐体２に対してヒンジ４を介して連結された筐体３とを備える。筐体２および３がヒンジ４を軸として角変位自在に動くことによって、携帯電話機１の形状は、図１および図２の開いた状態と図３の閉じた状態との間を変化する。筐体２の両側の側面２ｃには、帯状のサイドパーツ１０が設けられている。
【００２０】
筐体２は、薄型の直方体形状に形成されており、携帯電話機１を閉じた状態で内側に位置する主表面２ａを有する。主表面２ａは、矢印５１に示す方向に延びる短辺と、矢印５２に示す方向に延びる長辺とを有する略矩形形状に形成されている。ヒンジ４は、矢印５１に示す方向に延びて形成されており、主表面２ａの短辺に沿った位置に位置決めされている。筐体２は、主表面２ａの長辺にそれぞれ連なり、互いに向い合う一対の側面２ｃと、その側面２ｃに連なり、主表面２ａに向い合う背面２ｂとをさらに有する。側面２ｃは、主表面２ａの長辺が延びる矢印５２に示す方向に延在している。
【００２１】
図１を参照して、主表面２ａには、メイン表示部５が設けられている。メイン表示部５は、液晶ディスプレイやＥＬ(electro luminescent）ディスプレイなどによって構成されており、表示ドライバ部を介して与えられる画像データに基づいて画像を表示する。また、メイン表示部５の上方には、通話時などに使用するスピーカ６が設けられている。
【００２２】
筐体３には、数字および文字を入力するためのキーなどから構成される入力ボタン群７と、携帯電話機１における各種設定／機能切替を行うための機能ボタン群８とが設けられている。これらのボタン群は、携帯電話機１を閉じた状態で内側に位置する筐体３の表面３ａに設けられている。携帯電話機１を閉じた状態で、筐体２の主表面２ａと筐体３の表面３ａとは向い合う。さらに、筐体３の表面３ａには、入力ボタン群７の下方に位置して、通話用のマイク１４が設けられている。
【００２３】
図２を参照して、筐体２の背面２ｂには、ヒンジ４に近接する位置にカメラ部２１が設けられている。背面２ｂは、携帯電話機１を閉じた状態で外側に露出する。背面２ｂには、カメラ部２１に近い位置から順に、ライト部２２と、サブ表示部２０と、シャッタボタンや各種の操作を行なうための操作ボタンから構成されるボタン群２３とがさらに設けられている。
【００２４】
サブ表示部２０は、液晶ディスプレイやＥＬディスプレイなどによって構成されている。図中では、サブ表示部２０の表示可能領域を図１中のメイン表示部５よりも小さくして示しているが、大きくてもよく、また同じ大きさであってもよい。サブ表示部２０には、表示ドライバ部を介して与えられるカメラ部２１で撮影された画像データ、時刻、電波強度ならびにメール受信などを報知するためのキャラクタ画像などが表示される。
【００２５】
このようにメイン表示部５およびサブ表示部２０は、携帯電話機１を開いた状態において、携帯電話機１の外側に位置するように設けられている。また、メイン表示部５は、携帯電話機１を閉じた状態において携帯電話機１の内側に位置し、サブ表示部２０は、同様の状態において携帯電話機１の外側に位置するように設けられている。
【００２６】
筐体３の背面３ｂには、アンテナ部２５、昇降可能なヘリカル部２６、電池を格納するバッテリ部２７および着信音を鳴らすためのスピーカ２８が設けられている。背面３ｂは、携帯電話機１を閉じた状態で外側に露出する。
【００２７】
図４は、図３中の矢印ＩＶから見た携帯電話機を示す平面図である。図５は、図３中の矢印Ｖから見た携帯電話機を示す側面図である。図６は、図３中の矢印ＶＩから見た携帯電話機を示す側面図である。図７は、図３中の矢印ＶＩＩから見た携帯電話機を示す正面図である。
【００２８】
図３から図７を参照して、主に筐体２の内部には、メイン表示部５、サブ表示部２０およびカメラ部２１が取り付けられ、さらに、これらの機器を制御するための各種ＩＣなどが実装されたＬＣＤ基板と、このＬＣＤ基板が支持され、メイン表示部５などを保護するためのマグネシウムフレームとが収容されている。また、主に筐体３の内部には、無線部、各種ＩＣおよび内蔵アンテナなどが実装されるメイン基板と、バッテリ部２７に格納された電池などが収容されている。
【００２９】
これらの部品を収容する筐体２は、矢印５１に示す方向において、幅Ｂ１で形成されている。幅Ｂ１は、たとえば４６ｍｍである。また筐体３は、矢印５１に示す方向において、幅Ｂ１よりも大きい幅Ｂ２で形成されている。幅Ｂ２は、たとえば４７ｍｍである。このため、図７に示すように携帯電話機１を閉じた状態において、筐体２の側面２ｃと筐体３の側面との間には段差が形成される。また、筐体３の矢印５２に示す方向の長さＬは、たとえば９３．５ｍｍである。また、筐体２の厚みＨ１は、たとえば１１．２ｍｍであり、筐体３の厚みＨ２は、たとえば１０．７ｍｍである。
【００３０】
サイドパーツ１０は、筐体２の側面２ｃが延在する矢印５２に示す方向に延びている。一方、筐体２の側面２ｃは、一方端５３と他方端５４とを有する。一方端５３は、側面２ｃのヒンジ４側に位置する部分であり、他方端５４は、側面２ｃが延びる方向において一方端５３の反対側に位置する部分である。サイドパーツ１０は、側面２ｃの一方端５３側から他方端５４側にまで延びている。
【００３１】
サイドパーツ１０は、側面２ｃのほぼ中央に配置されている。矢印５２に示す方向におけるサイドパーツ１０の長さＸは、たとえば８１ｍｍであり、サイドパーツ１０の幅Ｙは、矢印５２に示す方向の中心付近において、たとえば３．９ｍｍである。サイドパーツ１０は、幅Ｙが一方端５３から他方端５４に向かうに連れて少しずつ小さくなるように形成されている。サイドパーツ１０は、一方端５３および他方端５４において、丸みを帯びた形状に形成されている。
【００３２】
なお、本実施の形態では、サイドパーツ１０を帯状の単純形状を有するものとして説明したが、サイドパーツ１０の形状はこれに限定されるものではない。たとえば、サイドパーツ１０は、一方端５３から他方端５４に向けて波状にうねりながら延びる形状を有していても良い。また、サイドパーツ１０は、一方端５３から他方端５４に向けてジグサグ状に延びる形状を有していていても良い。さらに、サイドパーツ１０は、複数本に別れて一方端５３から他方端５４に向けて延びる形状を有していても良い。さらに、その複数本のサイドパーツ１０が、互いに交差を繰り返しながら一方端５３から他方端５４に向けて延びていても良い。さらに、サイドパーツ１０の周縁に沿った側面２ｃに、丸形状等の適当な模様が複数配列されていても良い。さらに、その適当な模様がサイドパーツ１０とつながって一体化していても良い。
【００３３】
サイドパーツ１０は、サイドパーツ１０の表面１０ａが筐体２の側面２ｃよりも盛り上がった状態に設けられている（特に図７を参照）。サイドパーツ１０は、表面１０ａに凹凸形状が形成されていても良い。また、サイドパーツ１０は、表面１０ａに複数の溝が形成されていても良い。なお、本発明による携帯電話機において、サイドパーツ１０の表面１０ａが筐体２の側面２ｃよりも盛り上がっていることは必須の要件ではない。本発明による携帯電話機は、サイドパーツ１０の表面１０ａが筐体２の側面２ｃから凹んだ位置に形成されていても良い。
【００３４】
筐体２および３は、たとえば、ＡＢＳ（acrylonitrile-butadiene-styrene）樹脂によって成形されており、その表面には適当な色の塗装がされている。筐体２および３の塗装色は、たとえば、シルバー、ブルー、ブラック、ピンク、レッド、イエロー、グリーンおよびホワイトなどである。またこれらの色のメタル系の色であっても良い。筐体２および３の色は、同一であっても良いし、異なっていても良い。
【００３５】
サイドパーツ１０は、たとえば、ＡＢＳ樹脂によって形成されている。サイドパーツ１０の表面には、クロムめっきが施されており、金属光沢がある状態に加工されている。サイドパーツ１０は、筐体２および３と比較してより光沢があるように表面に塗装または加工が施されていることが好ましい。サイドパーツ１０の色は、クロムシルバー等である。また、サイドパーツ１０は、適当なゴム部材によって形成されていても良い。この場合、サイドパーツ１０の色は、グレー等である。サイドパーツ１０の色は、筐体２および３と同一であっても良いが、異なる場合がより好ましい。この場合、筐体２および３の色として挙げた上記の色のうち、筐体２および３と異なる色をサイドパーツ１０の色にすることもできる。
【００３６】
図８は、図１中のメイン表示部が設けられた筐体の分解図である。図８を参照して、筐体２は、キャビネット５５および５６によって構成されている。キャビネット５５は、サブ表示部２０の液晶面が露出する側に位置し、キャビネット５６は、メイン表示部５の液晶面が露出する側に位置する。キャビネット５５および５６の側面には、サイドパーツ１０を嵌め合わせるための溝５８が形成されている。
【００３７】
また、キャビネット５６の端部には、図３中のヒンジ４の一部を構成する円筒部５９が成形されている。円筒部５９には、開閉位置を保持するためのヒンジ機構を備えたヒンジ部品５７が挿入される。サイドパーツ１０は、図３中の一方端５３側にまで延在しているため、そのヒンジ部品５７を覆っている。このため、ヒンジ部品５７を覆うカバーを別途設ける必要がない。
【００３８】
この発明に従った携帯電話機１は、所定の方向（矢印５１に示す方向）に第１の幅としての幅Ｂ１で形成された第１の筐体としての筐体２と、ヒンジ部としてのヒンジ４を介して筐体２に開閉自在に連結され、所定の方向に幅Ｂ１よりも大きい第２の幅としての幅Ｂ２で形成された第２の筐体としての筐体３とを備える。筐体２は、筐体２および３を閉じた状態で外側に露出し、幅Ｂ１を隔てて位置する一対の側面２ｃを含む。携帯電話機１は、さらに、側面２ｃに設けられた帯状部としてのサイドパーツ１０を備える。
【００３９】
携帯電話機１は、筐体２と、筐体２の端部に設けられたヒンジ４と、ヒンジ４を介して筐体２に開閉自在に連結された筐体３とを備える。筐体２は、筐体２および３を閉じた状態で筐体３に向い合い、短辺および長辺を有する略矩形形状の主表面２ａと、主表面２ａに連なり、かつヒンジ４から遠ざかる方向に延在する側面２ｃとを含む。その側面２ｃは、筐体２および３を閉じた状態で外側に露出する。筐体２は、短辺方向（矢印５１に示す方向）に幅Ｂ１で形成され、筐体３は、短辺方向に幅Ｂ１よりも大きい幅Ｂ２で形成されている。さらに、携帯電話機１は、側面２ｃに設けられ、側面２ｃが延在する方向に延びるサイドパーツ１０を備える。
【００４０】
サイドパーツ１０は、側面２ｃから盛り上がって設けられている。側面２ｃは、ヒンジ４に近接する一方端５３と、ヒンジ４から最遠に位置する他方端５４とを有する。サイドパーツ１０は、一方端５３側から他方端５４側にまで延びている。一方端５３は、ヒンジ４を覆うように設けられている。
【００４１】
なお、本実施の形態では、ヒンジ４が矢印５１に示す方向に延びて形成されている場合について説明したが、本発明はこれに限定されるものではない。ヒンジ４の軸は、たとえば、主表面５に直交する方向に延びて形成されていても良い。この場合、筐体２および３は、この軸を回転軸として互いにスライドすることによって、開いた状態と閉じた状態との間を変化する。また、本実施の形態では、主表面５を短辺と長辺とを有するものとして説明したが、主表面５は、正方形形状であってもよく、その他の多角形形状であっても良い。
【００４２】
このように構成された携帯電話機１によれば、筐体２の側面２ｃには、サイドパーツ１０が設けられている。このため、筐体２および３によって外観の大部分が構成されている携帯電話機１において、この携帯電話機１を見るユーザーの注意を筐体２に向けることができる。これにより、ユーザーは、携帯電話機１の全体の印象を相対的に小さい幅で形成された筐体２から強く受けるため、携帯電話機１が小さい幅で形成されているという印象を与えることができる。さらに、筐体２の側面２ｃと筐体３の側面との間に形成されている段差が気になることもない。
【００４３】
また、サイドパーツ１０は、矢印５２に示す方向に延びる形状を有するため、携帯電話機１を見たユーザーは、携帯電話機１が矢印５２に示す方向により長く、矢印５１に示す方向により短い形状を有していると感じやすい。このため、ユーザーに対して携帯電話機１がスリムな形状を有しているという印象を与えることができる。また、サイドパーツ１０の色や光沢の度合いによって、ユーザーの注意をさらにサイドパーツ１０に引き付けることができる。これにより、上述の効果をさらに大きく得ることができる。
【００４４】
さらに、サイドパーツ１０は、矢印５２に示す方向に延びる形状を有するため、携帯電話機１を側面２ｃ側から見たユーザーに、筐体２の厚みが薄く形成されていると感じさせることができる。携帯電話機１が閉じられている場合、このような効果は、サイドパーツ１０が設けられた筐体２の厚みのみならず、筐体３の厚みについても得ることができる。このため、ユーザーは、携帯電話機１全体の厚みが薄く形成されていると感じる。
【００４５】
またユーザーは、携帯電話機１を開く場合、通常、筐体３を片方の手で固定し、筐体２の側面２ｃをもう片方の手で掴む。この際、側面２ｃにはサイドパーツ１０が設けられているため、側面２ｃを掴むユーザーの指先はサイドパーツ１０に引っ掛かる。このため、携帯電話機１が幅の異なる筐体２および３によって構成されているにもかかわらず、ユーザーは、携帯電話機１を容易に開くことができる。また、サイドパーツ１０がゴム部材によって形成されていたり、サイドパーツ１０の表面１０ａが側面２ｃよりも盛り上がった状態に形成されている場合には、このような効果をさらに確実に得ることができる。
【００４６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４７】
【図１】この発明の実施の形態における携帯電話機の開いた状態を示す斜視図である。
【図２】図１中の携帯電話機を背面側から見た斜視図である。
【図３】図１中の携帯電話機の閉じた状態を示す斜視図である。
【図４】図３中の矢印ＩＶから見た携帯電話機を示す平面図である。
【図５】図３中の矢印Ｖから見た携帯電話機を示す側面図である。
【図６】図３中の矢印ＶＩから見た携帯電話機を示す側面図である。
【図７】図３中の矢印ＶＩＩから見た携帯電話機を示す正面図である。
【図８】図１中のメイン表示部が設けられた筐体の分解図である。
【符号の説明】
【００４８】
１  携帯電話機、２，３  筐体、２ａ  主表面、２ｃ  側面、４  ヒンジ、１０  サイドパーツ、５３  一方端、５４  他方端。
【図１】
2005072738.tif 000003
【図２】
2005072738.tif 000004
【図３】
2005072738.tif 000005
【図４】
2005072738.tif 000006
【図５】
2005072738.tif 000007
【図６】
2005072738.tif 000008
【図７】
2005072738.tif 000009
【図８】
2005072738.tif 000010